(57)【要約】【課題】釘、ねじ等の固定具を直接外壁材に打ち込んだりすることなく外壁材を壁下地に取り付けることができ、小さな領域が開口部の下側等に残ってしまっても、所望の大きさに切断した外壁材を壁下地に取り付けて前記領域を無くすことができる外壁材取付金具を提供する。【解決手段】建築物の壁下地２に外壁材３を取り付けるために用いられる外壁材取付金具１に関する。前記外壁材取付金具１は、前記外壁材３と係合される係合金具４と、前記壁下地２に固定され、前記係合金具４と係合される固定金具５とからなる。前記係合金具４は、引掛部７と、係止片１０と、差込部８とを設けて形成されている。前記固定金具５は、係止部１１を設けた固定板１７と、ガイド部９とで形成されている。前記係合金具４は、前記係止片１０と前記係止部１１の係止により前記固定金具５に対して差し込み方向にのみ可動可能となっている。【選択図】図１
2010222791.tif 000002
【特許請求の範囲】
【請求項１】
建築物の壁下地に外壁材を取り付けるために用いられる外壁材取付金具であって、前記外壁材取付金具は、前記外壁材と係合される係合金具と、前記壁下地に固定され、前記係合金具と係合される固定金具とからなり、前記係合金具は、前記外壁材の上部又は下部を切断して現れた切断面に引っ掛けて係合するための引掛部と、前記固定金具と係合するための係止片と、前記固定金具に差し込まれる差込部とを設けて形成されていると共に、前記固定金具は、前記係止片と係合するための複数の係止部を前記係合金具の差し込み方向に並べて設けた固定板と、前記固定板の両端部に平面視コ字型で形成されて前記差込部の両端部を挿入することにより前記差込部が差し込まれるのをガイドするガイド部とで形成されており、前記係合金具は、前記係止片と前記係止部の係止により前記固定金具に対して差し込み方向にのみ可動可能としたことを特徴とする外壁材取付金具。
【請求項２】
前記複数の係止部は、各係止部が前記係合金具の差し込み方向に千鳥状に配列されていると共に、前記係止片は、差し込み方向と垂直な方向の前記係止部の位置に対応して二つ以上形成されていることを特徴とする請求項１に記載の外壁材取付金具。
【請求項３】
前記係合金具は、先端が前記固定板に当接することにより前記係合金具が前記固定板に向かって揺動するのを防止する揺動防止片を設けて形成されていることを特徴とする請求項１又は２に記載の外壁材取付金具。
【請求項４】
請求項１〜３のいずれか１項に記載の外壁材取付金具を用いて建築物の開口部の下側の壁下地に外壁材を取り付けると共に、支え片及び固定片を設けて形成された受け金具を用いて前記開口部の上側の壁下地に他の外壁材を取り付けることによって形成された外壁材取付構造であって、前記開口部の下側に取り付けられる外壁材の上部を切断して現れた切断面に溝が形成され、前記溝に前記係合金具の引掛部を引っ掛けることによって、前記外壁材と前記係合金具とが係合されており、前記固定金具が前記開口部の下側の壁下地に固定され、前記係合金具の差込部を前記固定金具に差し込んで前記係止片と前記係止部とを係合することによって、前記係合金具と前記固定金具とが係合されていると共に、前記開口部の上側に取り付けられる前記他の外壁材の下部を切断して現れた切断面に溝が形成され、前記溝に前記受け金具の支え片を引っ掛けることによって、前記他の外壁材と前記受け金具とが係合されており、前記受け金具の固定片が前記開口部の上側の壁下地に固定されていることを特徴とする外壁材取付構造。
【請求項５】
請求項１〜３のいずれか１項に記載の外壁材取付金具を用いて外壁材を取り付けることによって形成された外壁材取付構造であって、前記外壁材取付金具を用いて建築物の開口部の下側の壁下地に外壁材を取り付けると共に、前記外壁材取付金具とは別の他の外壁材取付金具を用いて前記開口部の上側の壁下地に他の外壁材を取り付けることによって外壁材取付構造を形成しており、前記開口部の下側に取り付けられる外壁材の上部を切断して現れた切断面に溝が形成され、前記溝に一方の前記外壁材取付金具の係合金具の引掛部を引っ掛けることによって、前記外壁材と前記係合金具とが係合されており、一方の前記外壁材取付金具の固定金具が前記開口部の下側の壁下地に固定され、前記係合金具の差込部を前記固定金具に差し込んで前記係止片と前記係止部とを係合することによって、前記係合金具と前記固定金具とが係合されていると共に、前記開口部の上側に取り付けられる前記他の外壁材の下部を切断して現れた切断面に溝が形成され、前記溝に他方の前記外壁材取付金具の係合金具の引掛部を引っ掛けることによって、前記他の外壁材と前記係合金具とが係合されており、他方の前記外壁材取付金具の固定金具が前記開口部の上側の壁下地に固定され、前記係合金具の差込部を前記固定金具に差し込んで前記係止片と前記係止部とを係合することによって、前記係合金具と前記固定金具とが係合されていることを特徴とする外壁材取付構造。
【請求項６】
請求項１〜３のいずれか１項に記載の外壁材取付金具を用いて建築物の軒天井の下側の壁下地に外壁材を取り付けることによって形成された外壁材取付構造であって、前記軒天井の下側に取り付けられる外壁材の上部を切断して現れた切断面に溝が形成され、前記溝に前記係合金具の引掛部を引っ掛けることによって、前記外壁材と前記係合金具とが係合されており、前記固定金具が前記軒天井の下側の壁下地に固定され、前記係合金具の差込部を前記固定金具に差し込んで前記係止片と前記係止部とを係合することによって、前記係合金具と前記固定金具とが係合されていることを特徴とする外壁材取付構造。
【発明の詳細な説明】
【技術分野】
【０００１】
本発明は、建築物の壁下地に外壁材を取り付けるために用いられる外壁材取付金具及びこの外壁材取付金具を用いて建築物の壁下地に外壁材を取り付けることによって形成された外壁材取付構造に関するものである。
【背景技術】
【０００２】
従来、多くの建築物の外壁材３は図２３や図２４に示すように取り付けられている。具体的には、まず図２３に示すように基礎２３の上に土台２４を設置し、この土台２４の上に複数の柱２５を所定間隔をあけて立設する。次に各柱２５の屋外側に防水紙２６を張設した後、この防水紙２６を介して各柱２５の屋外側に壁下地２（縦胴縁）を設置する。その後、この壁下地２に下から順に外壁材３を左右隣接させて取り付けていくものであるが、このとき各外壁材３は壁下地２に固定された複数の支持金具（図示省略）によって支持されているものである。
【０００３】
このような取り付けにあたって、外壁材３は、窓などの開口部５５を形成する箇所を避けて取り付けられるが、外壁材３を窓枠などの開口枠３７の側端部に近接させて取り付けることができるようにしたサイディング取付金具が知られている（例えば、特許文献１参照。）。そして特に特許文献１に記載のサイディング（外壁材３）の上部及び下部にはサイディング取付金具が使用できるようにあらかじめ上サネ及び下サネが設けられている。
【０００４】
しかし、開口枠３７の下縁の高さと外壁材３の上縁の高さが一致するのは稀であり、通常は図２３や図２４に示すように両者の高さは一致しない。これは、開口枠３７の上縁の高さと外壁材３の下縁の高さについても同様である。そのため、開口枠３７の下側又は上側に通常の外壁材３の大きさよりも小さな領域が残ってしまう場合がある。この場合、既に取り付けた外壁材３の上又は下にさらに外壁材３を取り付けようとすると開口部５５の一部を塞いでしまうことになるので、開口枠３７の下部又は上部に残った領域は通常の外壁材３のままでは覆い隠すことができない。
【０００５】
そこで、このような場合には、図２５に示すように、外壁材３の上部又は下部の余分な箇所を切り落とし、所望の大きさに形成した外壁材３を釘、ねじ等の固定具３８を用いて壁下地２に取り付けることによって、開口枠３７の下側又は上側に残った領域を覆い隠すようにしている。この場合、外壁材３を所望の大きさに形成するために上サネ又は下サネを余分な箇所として切り落としてしまっているので、特許文献１に記載されているような従来のサイディング取付金具は使用することができなくなり、上記のように釘、ねじ等の固定具３８を使用せざるを得なくなるものである。
【０００６】
しかし、図２５に示す場合にあっては、釘、ねじ等の固定具３８を直接外壁材３に打ち込んだりねじ込んだりしているので、外観が悪くなるおそれがある。なお、図２５において、３９はスペーサーであって、外壁材３と壁下地２（横胴縁）との間の隙間を確保するためのものであり、また３５及び３６はそれぞれシーリング及びバックアップ材であって、外壁材３と開口枠３７との間の隙間を充填するためのものである。
【０００７】
ところで、複数の外壁材３を下から順に取り付けていくと、やがて軒天井３４の下側において通常の外壁材３の大きさよりも小さな領域が残ってしまう場合がある。この場合、既に取り付けた外壁材３の上にさらに外壁材３を取り付けようとすると軒天井３４が邪魔になるので、軒天井３４の下側に残った領域は通常の外壁材３のままでは覆い隠すことができない。
【０００８】
そこで、このような場合には、図２６に示すように、外壁材３の上部の余分な箇所を切り落とし、所望の大きさに形成した外壁材３を釘、ねじ等の固定具３８を用いて壁下地２に取り付けることによって、軒天井３４の下側に残った領域を覆い隠すようにしている。
【０００９】
しかし、図２６に示す場合にあっても、図２５に示す場合と同様に、釘、ねじ等の固定具３８を直接外壁材３に打ち込んだりねじ込んだりしているので、外観が悪くなるおそれがある。なお、図２６において、３９はスペーサーであって、外壁材３と壁下地２との間の隙間を確保するためのものであり、また３５及び３６はそれぞれシーリング及びバックアップ材であって、外壁材３と軒天井３４との間の隙間を充填するためのものである。
【先行技術文献】
【特許文献】
【００１０】
【特許文献１】特開２００７−２１７９７２号公報
【発明の概要】
【発明が解決しようとする課題】
【００１１】
本発明は上記の点に鑑みてなされたものであり、釘、ねじ等の固定具を直接外壁材に打ち込んだりねじ込んだりすることなく外壁材を壁下地に取り付けることができると共に、複数の外壁材を隣接させて壁下地に取り付けていく場合に、通常の外壁材の大きさよりも小さな領域が開口部の上側・下側や軒天井の下側に残ってしまったとしても、所望の大きさに切断した外壁材を壁下地に取り付けることによって前記領域を覆い隠して無くすことができる外壁材取付金具及び外壁材取付構造を提供することを目的とするものである。
【課題を解決するための手段】
【００１２】
本発明の請求項１に係る外壁材取付金具は、建築物の壁下地２に外壁材３を取り付けるために用いられる外壁材取付金具１であって、前記外壁材取付金具１は、前記外壁材３と係合される係合金具４と、前記壁下地２に固定され、前記係合金具４と係合される固定金具５とからなり、前記係合金具４は、前記外壁材３の上部又は下部を切断して現れた切断面に引っ掛けて係合するための引掛部７と、前記固定金具５と係合するための係止片１０と、前記固定金具５に差し込まれる差込部８とを設けて形成されていると共に、前記固定金具５は、前記係止片１０と係合するための複数の係止部１１を前記係合金具４の差し込み方向に並べて設けた固定板１７と、前記固定板１７の両端部１８に平面視コ字型で形成されて前記差込部８の両端部１６を挿入することにより前記差込部８が差し込まれるのをガイドするガイド部９とで形成されており、前記係合金具４は、前記係止片１０と前記係止部１１の係止により前記固定金具５に対して差し込み方向にのみ可動可能としたことを特徴とするものである。
【００１３】
請求項２に係る発明は、請求項１において、前記複数の係止部１１は、各係止部１１が前記係合金具４の差し込み方向に千鳥状に配列されていると共に、前記係止片１０は、差し込み方向と垂直な方向の前記係止部１１の位置に対応して二つ以上形成されていることを特徴とするものである。
【００１４】
請求項３に係る発明は、請求項１又は２において、前記係合金具４は、先端が前記固定板１７に当接することにより前記係合金具４が前記固定板１７に向かって揺動するのを防止する揺動防止片２２を設けて形成されていることを特徴とするものである。
【００１５】
請求項４に係る外壁材取付構造は、請求項１〜３のいずれか１項に記載の外壁材取付金具１を用いて建築物の開口部５５の下側の壁下地２に外壁材３を取り付けると共に、支え片４１及び固定片４２を設けて形成された受け金具４３を用いて前記開口部５５の上側の壁下地２に他の外壁材３を取り付けることによって形成された外壁材取付構造であって、前記開口部５５の下側に取り付けられる外壁材３の上部を切断して現れた切断面に溝６が形成され、前記溝６に前記係合金具４の引掛部７を引っ掛けることによって、前記外壁材３と前記係合金具４とが係合されており、前記固定金具５が前記開口部５５の下側の壁下地２に固定され、前記係合金具４の差込部８を前記固定金具５に差し込んで前記係止片１０と前記係止部１１とを係合することによって、前記係合金具４と前記固定金具５とが係合されていると共に、前記開口部５５の上側に取り付けられる前記他の外壁材３の下部を切断して現れた切断面に溝６が形成され、前記溝６に前記受け金具４３の支え片４１を引っ掛けることによって、前記他の外壁材３と前記受け金具４３とが係合されており、前記受け金具４３の固定片４２が前記開口部５５の上側の壁下地２に固定されていることを特徴とするものである。
【００１６】
請求項５に係る外壁材取付構造は、請求項１〜３のいずれか１項に記載の外壁材取付金具を用いて外壁材３を取り付けることによって形成された外壁材取付構造であって、前記外壁材取付金具１を用いて建築物の開口部５５の下側の壁下地２に外壁材３を取り付けると共に、前記外壁材取付金具１とは別の他の外壁材取付金具１を用いて前記開口部５５の上側の壁下地２に他の外壁材３を取り付けることによって外壁材取付構造を形成しており、前記開口部５５の下側に取り付けられる外壁材３の上部を切断して現れた切断面に溝６が形成され、前記溝６に一方の前記外壁材取付金具１の係合金具４の引掛部７を引っ掛けることによって、前記外壁材３と前記係合金具４とが係合されており、一方の前記外壁材取付金具１の固定金具５が前記開口部５５の下側の壁下地２に固定され、前記係合金具４の差込部８を前記固定金具５に差し込んで前記係止片１０と前記係止部１１とを係合することによって、前記係合金具４と前記固定金具５とが係合されていると共に、前記開口部５５の上側に取り付けられる前記他の外壁材３の下部を切断して現れた切断面に溝６が形成され、前記溝６に他方の前記外壁材取付金具１の係合金具４の引掛部７を引っ掛けることによって、前記他の外壁材３と前記係合金具４とが係合されており、他方の前記外壁材取付金具１の固定金具５が前記開口部５５の上側の壁下地２に固定され、前記係合金具４の差込部８を前記固定金具５に差し込んで前記係止片１０と前記係止部１１とを係合することによって、前記係合金具４と前記固定金具５とが係合されていることを特徴とするものである。
【００１７】
請求項６に係る外壁材取付構造は、請求項１〜３のいずれか１項に記載の外壁材取付金具１を用いて建築物の軒天井３４の下側の壁下地２に外壁材３を取り付けることによって形成された外壁材取付構造であって、前記軒天井３４の下側に取り付けられる外壁材３の上部を切断して現れた切断面に溝６が形成され、前記溝６に前記係合金具４の引掛部７を引っ掛けることによって、前記外壁材３と前記係合金具４とが係合されており、前記固定金具５が前記軒天井３４の下側の壁下地２に固定され、前記係合金具４の差込部８を前記固定金具５に差し込んで前記係止片１０と前記係止部１１とを係合することによって、前記係合金具４と前記固定金具５とが係合されていることを特徴とする外壁材取付構造。
【発明の効果】
【００１８】
本発明の請求項１に係る外壁材取付金具によれば、釘、ねじ等の固定具を直接外壁材に打ち込んだりねじ込んだりすることなく外壁材を壁下地に取り付けることができると共に、複数の外壁材を隣接させて壁下地に取り付けていく場合に、通常の外壁材の大きさよりも小さな領域が開口部の上側・下側や軒天井の下側に残ってしまったとしても、所望の大きさに切断した外壁材を壁下地に取り付けることによって前記領域を覆い隠して無くすことができるものである。また、係合金具が固定金具に対して差し込み方向にのみ可動可能となっているので、係合金具が固定金具に対して抜ける方向に動いて引掛部と外壁材との係合が外れるのを防ぐことができ、外壁材を強固に支持して取り付けることができるものである。
【００１９】
請求項２に係る発明によれば、係止部が横方向に並ばないことにより固定板に応力が集中するのを防止して固定板の剛性を高めることができると共に、千鳥状に配置された係止部に順次係止片を係止することにより係合金具の差し込み位置を微調整することができ、外壁材の取り付けの作業性を向上させることができるものである。
【００２０】
請求項３に係る発明によれば、揺動防止片で係合金具を支えて係合金具が固定板に向かって揺動するのを防止することにより、係合金具で外壁材を簡単で確実に引っ掛けることができ、外壁材の取り付けの作業性を向上させることができるものである。また、揺動防止片が固定板に当接しているので外壁材取付金具の強度を向上することができ、強度の高い外壁材取付構造を形成することができるものである。
【００２１】
本発明の請求項４に係る外壁材取付構造によれば、釘、ねじ等の固定具を直接外壁材に打ち込んだりねじ込んだりすることなく外壁材を壁下地に取り付けることができると共に、複数の外壁材を隣接させて壁下地に取り付けていく場合に、通常の外壁材の大きさよりも小さな領域が開口部の上側・下側に残ってしまったとしても、所望の大きさに切断した外壁材を壁下地に取り付けることによって前記領域を覆い隠して無くすことができるものである。
【００２２】
本発明の請求項５に係る外壁材取付構造によれば、釘、ねじ等の固定具を直接外壁材に打ち込んだりねじ込んだりすることなく外壁材を壁下地に取り付けることができると共に、複数の外壁材を隣接させて壁下地に取り付けていく場合に、通常の外壁材の大きさよりも小さな領域が開口部の上側・下側に残ってしまったとしても、所望の大きさに切断した外壁材を壁下地に取り付けることによって前記領域を覆い隠して無くすことができるものである。
【００２３】
本発明の請求項６に係る外壁材取付構造によれば、釘、ねじ等の固定具を直接外壁材に打ち込んだりねじ込んだりすることなく外壁材を壁下地に取り付けることができると共に、複数の外壁材を隣接させて壁下地に取り付けていく場合に、通常の外壁材の大きさよりも小さな領域が軒天井の下側に残ってしまったとしても、所望の大きさに切断した外壁材を壁下地に取り付けることによって前記領域を覆い隠して無くすことができるものである。
【図面の簡単な説明】
【００２４】
【図１】本発明の実施の形態の一例を示す図であり、（ａ）係合金具の正面図、（ｂ）係合金具の側面図、（ｃ）固定金具の正面図、（ｄ）固定金具のＸ−Ｘ断面図、（ｅ）固定金具の平面図、（ｆ）外壁材取付金具の正面図を示している。
【図２】同上の一例を示し、（ａ）係合金具の斜視図、（ｂ）固定金具の斜視図、（ｃ）外壁材取付金具の斜視図、（ｄ）外壁材取付構造の断面図を示している。
【図３】本発明の実施の形態の他の一例を示す図であり、（ａ）〜（ｄ）は外壁材取付構造の断面図を示している。
【図４】外壁材を取り付ける様子の一例を示した概略断面図である。
【図５】外壁材を取り付ける様子の一例を示した図であり、（ａ）（ｂ）は斜視図である。
【図６】外壁材を取り付ける際に溝を形成する様子の一例を示した図であり、（ａ）（ｂ）は斜視図、（ｃ）〜（ｆ）は断面図である。
【図７】外壁材取付金具を用いて外壁材を取り付ける様子の一例を示した図であり、（ａ）（ｃ）（ｅ）は概略断面図、（ｂ）（ｄ）（ｆ）は斜視図である。
【図８】外壁材取付金具を用いて外壁材を取り付ける様子の一例を示した図であり、（ａ）（ｃ）（ｅ）は概略断面図、（ｂ）（ｄ）（ｆ）は斜視図である。
【図９】外壁材取付金具を用いて外壁材を取り付ける様子の一例を示した図であり、（ａ）（ｃ）は概略断面図、（ｂ）（ｄ）は斜視図である。
【図１０】受け金具の一例を示した図であり、（ａ）は正面図、（ｂ）は側面図、（ｃ）は斜視図である。
【図１１】受け金具の他の一例を示した図であり、（ａ）は正面図、（ｂ）は側面図、（ｃ）は斜視図である。
【図１２】外壁材を取り付ける様子の一例を示した図であり、（ａ）（ｂ）は斜視図である。
【図１３】外壁材を取り付ける際に溝を形成する様子の一例を示した図であり、（ａ）（ｂ）は斜視図、（ｃ）〜（ｆ）は断面図である。
【図１４】受け金具を用いて外壁材を取り付ける様子の一例を示した図であり、（ａ）（ｃ）（ｅ）は概略断面図、（ｂ）（ｄ）（ｆ）は斜視図である。
【図１５】本発明の外壁取付構造の実施の形態の一例を示す図であり、（ａ）は概略断面図、（ｂ）は斜視図である。
【図１６】本発明の外壁取付構造の実施の形態の他の一例を示す図であり、（ａ）は概略断面図、（ｂ）は斜視図である。
【図１７】開口部の横側の外壁材取付構造の一例を示した図であり、（ａ）は概略断面図、（ｂ）は斜視図である。
【図１８】開口部の横側の外壁材取付構造の他の一例を示した図であり、（ａ）は概略断面図、（ｂ）は斜視図である。
【図１９】外壁材取付金具を用いて外壁材を取り付ける様子の一例を示した図であり、（ａ）（ｃ）（ｅ）は概略断面図、（ｂ）（ｄ）（ｆ）は斜視図である。
【図２０】本発明の外壁取付構造の実施の形態の他の一例を示す図であり、（ａ）は概略断面図、（ｂ）は斜視図である。
【図２１】外壁材取付金具を用いて外壁材を取り付ける様子の一例を示した図であり、（ａ）（ｃ）（ｅ）は概略断面図、（ｂ）（ｄ）（ｆ）は斜視図である。
【図２２】本発明の外壁取付構造の実施の形態の他の一例を示す概略断面図である。
【図２３】建築物の分解斜視図である。
【図２４】建築物の正面図である。
【図２５】従来の外壁材取付構造の一例を示す概略断面図である。
【図２６】従来の外壁材取付構造の他の一例を示す概略断面図である。
【発明を実施するための形態】
【００２５】
以下、本発明の実施の形態を説明する。
【００２６】
図１及び図２は本発明に係る外壁材取付金具の一例を示すものであり、これは、建築物の壁下地２に外壁材３を取り付けるために用いられるものである。そしてこの外壁材取付金具１は、係合金具４と固定金具５とからなる。
【００２７】
係合金具４は、外壁材３と係合されるものであって、図１（ａ）（ｂ）、図２（ａ）に示すように、矩形板状の差込部８と引掛部７とを設けて形成されており、差込部８と引掛部７とは、差込部８の上端略中央部から突出して設けられ、引掛部７及び差込部８よりも両端間の長さが短くなるように括れて形成された括れ部１２で連結されている。
【００２８】
引掛部７は、下端が括れ部１２の上端と連結すると共に上端が三つの片に分岐する板状の引掛連結片１３と、この引掛連結片１３の三つの先端のそれぞれから屋外側に向けて水平に設けられた水平片１４と、この水平片１４のそれぞれの先端から垂下して引掛連結片１３と向き合うように設けられた引掛片１５と、この引掛片１５のそれぞれの先端から屋外側に傾斜して延伸して形成された引掛先端片４５とからなり、全体として側面視略コ字状に形成されている。水平片１４は、両端に位置する二つの端水平片１４ｂと、中央に位置し、端水平片１４ｂよりも幅の狭い中央水平片１４ａとからなる。また、引掛片１５は、二つの端水平片１４ｂのそれぞれと連結する端引掛片１５ｂと、中央水平片１４ａと連結する中央引掛片１５ａとからなり、このうち端引掛片１５ｂは、引掛連結片１３と略平行に形成されているのに対し、中央引掛片１５ａは、引掛連結片１３に向かって傾斜して形成されている。そして、中央引掛片１５ａの先端に配置された中央引掛先端片４５ａは、端引掛片１５ｂの先端に配置された端先端引掛片４５ｂよりも傾斜が急になるように形成されている。
【００２９】
係合金具４の差込部８は、その両端部１６が固定金具５に設けられたガイド部９に挿入されることにより固定金具５に差し込まれるものである。差込部８の中央には、固定金具５と係合さるための係止片１０が設けられており、図示の例では、係止片１０は、差込部８から屋内側かつ上側に斜め方向に突出するように二つ形成され、差し込み方向と垂直な方向に並んで配置されている。この係止片１０は、固定板５に設けられた係止部１１と係合するように、係合金具４の差し込み方向と垂直な方向における係止部１１の位置に対応して設けられるものである。図示の固定金具５の例では、係止部１１が差し込み方向に沿って二列に並んで配置しており、この係止部１１の位置に対応して二つの係止片１０が設けられている。なお、係止片１０は、係止部１１と係合できるように係止部１１の位置に対応して設けられていればよく、係止部１１の配置が三列以上である場合は、係止片１０は三つ以上にすることもできる。また、幅広の係止片１０を一つ設けて、複数列の係止部１１と係合するようにしてもよい。
【００３０】
図示の例では、さらに差込部８には、差込部８から屋内側かつ上側に斜め方向に突出して形成された揺動防止片２２が設けられている。揺動防止片２２は、その先端が固定板１７に当接するように形成されており、それにより係合金具４が固定板１７に向かって揺動するのを防止している。
【００３１】
固定金具５は、壁下地２に固定され、係合金具４と係合されるものであって、図１（ｃ）〜（ｅ）、図２（ｂ）に示すように、矩形板状の固定板１７の両端部１８にそれぞれガイド部９を設けて形成されている。固定板１７には、釘、ねじ等の固定具３８を挿入して壁下地２に固定するための開孔１９が形成されている。また各ガイド部９は、固定板１７の両端部１８と、この両端部１８の両側縁から屋外側に延出された延出片２０と、この延出片２０の先端から両端部１８と向き合うように設けられたガイド片２１とからなり、それぞれ平面視コ字型に形成されている。各ガイド部９において固定板１７の両端部１８とガイド片２１との間の間隔は、係合金具４の差込部８の厚みよりも大きくなっており、また各ガイド部９の延出片２０間の長さは、係合金具４の差込部８の両側縁間の長さと略同一である。
【００３２】
固定板１７には、係合金具４と係合するための係止部１１が、固定板１７を切り起して設けられており、図示の例では、係止部１１は、屋外側かつ下側に斜め方向に突出するように形成されている。さらに図示の例では、係止部１１は、差し込み方向に沿って二列に並んで配置されると共に、各係止部１１は差し込み方向に千鳥状に配列されている。すなわち、一の列の各係止部１１と他の列の各係止部１１は横方向（差し込み方向と垂直な方向）において重なることなく配置されており、全体として差し込み方向にジグザク状に配列している。より詳しくは、各列の各係止部１１は等間隔のピッチでそれぞれ配置されると共に、一の列の各係止部１１と他の列の各係止部１１とは、差し込み方向に半ピッチ分ずれて配置されている。このように、係止部１１が千鳥状に配置されることにより、一の列の係止部１１と他の列の係止部１１とは横方向に並ぶことがなく、固定板１７に応力が集中するのを防止して固定板１７の剛性を高めることができるものである。また、係合金具４を固定金具５に差し込んだ際に、半ピッチ分ずれた係止部１１に二つの係止片１０の一方が順次に交互に係止して係合するので、係合金具４の差し込み位置を微調整することができるものである。なお、係止部１１の配置として二列に並んだ例を示したが、これに限らず、係止部１１は三列以上に配置されていてもよい。
【００３３】
また、固定板１７の中央の係合金具４が差し込まれて揺動防止片２２が当接される部分にはライン刻印部４６が形成されている。ライン刻印部４６は、固定板１７の表面を粗化して設けられるものであり、図示の例では、固定板１７の表面が差し込み方向と垂直な方向で複数の直線状に削られて形成されている。このようにライン刻印部４６が形成されることにより、揺動防止片２２が当接した際に、この揺動防止片２２の先端がライン刻印部４６に引っ掛かって揺動防止片２２が固定板１７上を滑るのを防止することができるので、確実に固定板１７を支持して係合金具４の揺動を防止することができるものである。
【００３４】
そして、図２の矢印で示すように、固定金具５の上方から係合金具４の差込部８の両端部１６を固定金具５の両端部１８に設けられたガイド部９に挿入し、係合金具４の係止片１０と固定金具５の係止部１１とを係合させることによって、図１（ｆ）及び図２（ｃ）に示すように、係合金具４と固定金具５を係合することができる。このとき、係合金具４の係止片１０が上向きに突出して形成され、固定金具５の係止部１１が下向きに突出して形成されているので、両者が噛み合うことによって、係合金具４は、係止片１０と係止部１１の係止により固定金具５に対して差し込み方向にのみ可動可能となっており、係合金具４が固定金具５に対して抜ける方向に動いて引掛部７と外装材３との係合が外れるのを防ぐことができるものであり、係合金具４と固定金具５との係合が強固になると共に、係合金具４が差し込み方向と逆の方向に動いて不用意に解除されるのを防止して、外壁材３を強固に支持して取り付けることができるものである。
【００３５】
図２（ｄ）は、上記の外壁材取付金具１を用いて外壁材３を取り付けた構造の一例を示している。図示の例では、係合金具４に設けられた引掛部７の引掛片１５は、外壁材３の上部（又は下部）を切断して現れた切断面に形成された溝６に引っ掛けられており、このように溝６に係合金具４が引っ掛けられることにより外壁材３と係合金具４とを強固に係合することができるものである。また、中央引掛片１５ａが端引掛片１５ｂよりも引掛連結片１３に向かって傾斜して形成されると共に、各引掛片１５の先端に屋外側に傾斜された引掛先端片４５が形成されているので、外壁材３に形成する溝６の厚み方向の位置に誤差が生じたりして溝６と引掛片１５とに位置ずれが起った場合でも、中央引掛片１５ａが溝６の切断面に当接するなどしてこの厚みの誤差を吸収し、確実に引掛片１５を溝６に差し込んで引っ掛けて外壁材３を支持することができるものである。なお、図２（ｄ）において５６は接着剤を表している。
【００３６】
また、係合金具４の引掛部７と差込部８とは、この両者よりも幅の狭い括れ部１２により連結されており、それにより、係合金具４を固定金具５に差し込んで外壁材３を取り付けた際に、引掛部７が屋外方向にわずかに屈曲することができ、固定金具５のガイド片２１の厚みにより屋内方向に押される力を緩和して外壁材３を精度よく引っ掛けることが可能になるものである。また、揺動防止片２２の先端が固定板１７に当接して固定板１７を支持しているので、係合金具４と固定金具５とが強固に固定されて外壁材取付金具１の強度を向上することができ、強度の高い外壁材取付構造を形成することができるものである。
【００３７】
なおこのように、通常、係合金具４の係止片１０と固定金具５の係止部１１とは、一旦差し込まれた係合金具４の差込部８を引き抜いて係合を解除することができないように形成されているが、外壁材３を取り替える場合には、適宜の治具を用いて係合を解除することができるようになっている。
【００３８】
ところで、図示の例の係合金具４と固定金具５は、金属板を加工して得ることができるものである。すなわち、金属板に適宜、切取加工、穴あけ加工、折り曲げ加工等の加工を施すことにより、係合金具４と固定金具５とを形成することができ、溶接等の加工や複雑な加工を要することなく、容易な加工で簡単に外壁材取付金具１を作製することができるものである。
【００３９】
図３（ａ）〜（ｄ）は、本発明に係る外壁材取付金具の他の一例を示すものであり、この外壁材取付金具１も、係合金具４と固定金具５とからなる。なお、各固定金具５は図１（ｃ）〜（ｅ）に示すものと同じである。
【００４０】
図３（ａ）に示す係合金具４では、引掛部７の水平片１４の長さが外壁材３の厚みと略同一に形成され、引掛部７の引掛片１５は、外壁材３の屋外側の面に引っ掛けられる。この場合には、外壁材３の切断面に溝６を形成する作業を省略することができる。図３（ｂ）に示す係合金具４では、引掛部７の引掛片１５が先端に向かって幅が狭くなる台形状に鋭利に形成されており、引掛片１５は、外壁材３の上部（又は下部）を切断して現れた切断面に突き刺して引っ掛けられる。この場合には、外壁材３の切断面に溝６を形成する作業を省略することができる。図３（ｃ）に示す係合金具４では、引掛部７は、引掛連結片１３と、この引掛連結片１３の先端から差込部８の側に傾斜させて屋外側に設けられた傾斜片４４とからなり、断面略Ｖ字状に形成されている。そして引掛部７の傾斜片４４は、外壁材３の上部（又は下部）を屋外側に下り傾斜（又は上り傾斜）するように切断して現れた切断面に引っ掛けられるものである。この場合には、外壁材３の切断面に溝６を形成する作業を省略することができると共に、外壁材３の厚みについて特に制限を受けることがない。図３（ｄ）に示す係合金具４では、引掛部７の水平片１４の長さが、外壁材３の上部（又は下部）を段差状に切断して現れた引掛突部４０の厚みと略同一に形成され、引掛片１５は、この引掛突部４０の切断面に引っ掛けられる。
【００４１】
このように図３（ａ）〜（ｄ）のような外壁材取付金具においても外壁材３と係合金具４とを強固に係合することができるものである。
【００４２】
そして、上記のように形成された外壁材取付金具１を用いて建築物の壁下地２に外壁材３を取り付けることによって、図１５や図１６に示すような外壁材取付構造を形成することができる。なお、以下では、図１に示す外壁材取付金具１を用いる場合について説明するが、図３に示す外壁材取付金具１を用いる場合もそれぞれ略同様にすることができる。また開口部５５が窓である場合を説明するが、窓以外の開口部５５にも同様にして外壁材３を取り付けることができる。
【００４３】
まず図２３に示すように基礎２３の上に土台２４を設置し、この土台２４の上に複数の柱２５を所定間隔をあけて立設する。次に各柱２５の屋外側に防水紙２６を張設した後、この防水紙２６を介して各柱２５の屋外側に壁下地２（縦胴縁）を設置する。その後、この壁下地２に下から順に外壁材３を左右隣接させて取り付けていくものである。
【００４４】
このとき各外壁材３は、図４に示すように、壁下地２に固定された複数の支持金具２７によって支持されているものである。支持金具２７は、押さえ片２８と支持片２９とを設けて形成されており、押さえ片２８によって、外壁材３の上部に設けられた被押さえ部３０を押さえて、支持金具２７より下に位置する外壁材３を固定することができると共に、支持片２９によって、外壁材３の下部に設けられた被支持部３１を支持して、支持金具２７より上に位置する外壁材３を固定することができるものである。なお、各外壁材３において、被押さえ部３０の屋外側には切欠部３２が形成され、被支持部３１の屋外側には突起部３３が形成されており、下に位置する外壁材３の切欠部３２に、上に位置する外壁材３の突起部３３が嵌まり込むことによって、屋外から支持金具２７の押さえ片２８及び支持片２９が見えないようになっている。
【００４５】
そして、上記のようにして複数の外壁材３を下から順に取り付けていくと、図４に示すように、やがて窓などの開口部５５の下側において通常の外壁材３の大きさよりも小さな領域が残ってしまう場合がある。この場合、既に取り付けた外壁材３の上側にさらに外壁材３を取り付けようとすると窓枠などの開口枠３７が邪魔になるので、開口枠３７の下側に残った領域は通常の外壁材３のままでは覆い隠すことができない。そこで、このような場合には、図１の外壁材取付金具１を用いて外壁材３を取り付けるものである。
【００４６】
以下、まず開口部５５の下側についての外壁材３の取り付けについて説明する。外壁材３を取り付けるにあたっては、まず外壁材３を加工する。
【００４７】
図５に示すように、まず、外壁材３の上部の余分な箇所を切り落とし、外壁材３を所望の形状（図示のものでは凹型）に形成する。なお図５（ａ）は、壁下地２（縦胴縁）を一つまたぐ幅の開口部５５の場合、（ｂ）は、壁下地２（縦胴縁）を三つまたいだ幅広の開口部５５の場合を示している。また、図５の矢印は、外壁材３を取り付ける方向を示している。
【００４８】
次に、図６（ａ）（ｂ）に示すように外壁材３の上部を切断して現れた切断面に溝６（上溝６ａ）を形成する。このとき、溝６は外壁材３の壁下地２に重ねられる部分（図５のＡで示される部分）に設けられる。この溝６は、適宜の加工工具を用いて施工現場において容易に形成することができるものである。なお、溝６は、外壁材３の切断面の全長にわたって形成してもよいし、図示のように外壁材取付金具１を取り付ける所定箇所のみに形成してもよい。また、溝６の形状は正面視断面略矩形状であってもよく、図示のように正面視断面略半円状であってもよい。
【００４９】
外壁材３としては、図６（ｃ）のような中空孔６０が内部に複数設けられた外壁材３ａや、図６（ｅ）のような中実の外壁材３ｂを用いることができ、それぞれ切断して切断面を形成した後、図６（ｄ）（ｆ）に示すように溝６を形成することができる。ここで、中空孔６０が内部に複数設けられた外壁材３ａを用いた場合には、例えば、図６（ｄ）に示すように中空孔６０の屋内側の側面を基準として溝６を形成することができる。なお、図６（ｄ）に示す破線は溝６の深さの目安を示している。
【００５０】
上記のように加工された外壁材３を取り付けるにあたっては、図７（ａ）（ｂ）に示すように、まず係合金具４の差込部８の両端部１６を固定金具５のガイド部９に上方から差し込んで係合金具４と固定金具５とを係合する。ただし、この段階では係合金具４の差込部８は固定金具５に完全には差し込まないようにしておく。なぜなら、後で係合金具４に外壁材３を係合しやすくするためである。そして釘、ねじ等の固定具３８を用いて図７（ｃ）（ｄ）に示すように固定金具５を壁下地２に固定する。あるいは、先に固定金具５を壁下地２に固定した後、この固定金具５と係合金具４とを係合するようにしてもよい。なお、図７〜９では、取り付けの様子が確認できるように、開口枠３７や外壁材３を切断して示すと共に、外壁材３に隠れた外壁材取付金具１を適宜破線により示している。図において、５３は防水テープである。
【００５１】
次に図７（ｅ）（ｆ）に示すように、ガイド部９のガイド片２１の屋外側の面に接着剤５６を塗布する。そして、図８（ａ）（ｂ）に示すように、外壁材３を持ち上げつつ（図の矢印）、外壁材３の切断面に形成した溝６に係合金具４の引掛部７の引掛片１５を引っ掛けることによって、この外壁材３と係合金具４とを係合する。
【００５２】
次に、図８（ｃ）（ｄ）に示すように、まず外壁材３を押し下げる（図の矢印）。このとき外壁材３の下部は、図４に示すように、通常の外壁材３の取り付けと同様に、外壁材３の被支持部３１を支持金具２７の支持片２９で支持する構造になっている。その後、図８（ｅ）（ｆ）に示すように、係合金具４を押し下げて引掛部７の引掛片１５を溝６にしっかりと差し込んで外壁材３を固定すると共に、係合金具４の差込部８を固定金具５に上方から完全に差し込んで係合金具４と固定金具５とを係合させる（図の矢印）。あるいは、外壁材３と係合金具４を両方同時に押し下げて、外壁材３の被支持部３１を支持金具２７の上に載せると共に、係合金具４の引掛部７の引掛片１５を溝６にしっかりと差し込んで外壁材３を固定するようにしてもよい。
【００５３】
このとき、千鳥状に配置された係止部１１によって、係合金具４の差し込み位置を微調整することができるので、簡単に強固に係合金具４を外壁材３に係合させることができ、外壁材３の取り付けの作業性が向上するものである。また、揺動防止片２２によって、係合金具４の引掛部７が屋内側に揺動するのを防止しているので、係合金具４の引掛片１５を簡単に確実に外壁材３の溝６に差し込むことができ、外壁材３の取り付けの作業性を向上させることができるものである。また、取り付けられた係合金具４の揺動防止片２２は固定板１７に当接しているので、外壁材取付金具１の屋内外方向の強度を向上することができ、強度の高い外壁構造を形成することができるものである。
【００５４】
そして最後に、図９（ａ）（ｂ）に示すようにバックアップ材３６を取り付けた後、図９（ｃ）（ｄ）に示すようにシーリング３５を用いて外壁材３と開口枠３７との間の隙間を充填すると、外壁材取付構造が形成され、開口枠３７の下側に残った領域を完全に覆い隠すことができるものである。
【００５５】
なお、上記の取り付け方法では、係合金具４を固定金具５にあらかじめ少し差し込んでから外壁材３を配設し、その後、係合金具４を完全に差し込んで固定する方法を説明したが、外壁材３の取り付け方法はこれに限られない。例えば、係合金具４と固定金具５とが分離している状態で、係合金具４の引掛片１５を外壁材３の溝６に引っ掛けた後、この外壁材３を開口部５５の下側に配置して、その後、外壁材３の被支持部３１を支持金具２７の上に載せると共に、係合金具４を固定金具５に差し込むようにして外壁材３を取り付けてもよい。
【００５６】
次に、開口部５５の上側についての外壁材３の取り付けについて説明する。
【００５７】
図１０は、開口部５５の上側の外壁材３の取り付けに用いられる受け金具４３の一例を示している。この受け金具４３は、支え部６１及び固定部６２が連結片６３により連結されて形成されている。固定部６１は、開口枠３７の上側の壁下地２に固定される固定片４２と、この固定片４２の下端から屋外側に下り傾斜させて設けられた下り傾斜片４９と、この下り傾斜片４９の下端から垂下して設けられ、外壁材３の背面に当接される背面当接片５０とからなる。固定片４２には、釘、ねじ等の固定具３８を挿入して開口枠３７の上側の壁下地２に固定するための固定孔５２が形成されている。また、連結片６３は、この背面当接片５０の下端から背面当接片５０の両端間の長さよりも狭い幅で下側に突出して設けられている。
【００５８】
支え部６２は、外壁材取付金具１の係合金具４の引掛部７と略同様の形状で形成されている。すなわち、支え部６２は、連結片６３の下端から下側に連結片６３よりも幅広で延出し、先端が三つに分岐する支え背面片６４と、この支え背面片６４の先端のそれぞれと連結して水平に設けられ、外壁材３の底面に当接される底面当接片５１と、この底面当接片５１のそれぞれの先端から上向きに突出して設けられた支え片４１と、この支え片４１のそれぞれの先端から屋外側に向けて傾斜して延出する支え先端片６５とを備えて形成されている。底面当接片５１は、両端に位置する二つの端底面当接片５１ｂと、中央に位置し、端底面当接片５１ｂよりも幅の狭い中央底面当接片５１ａとからなる。また、支え片４１は、二つの端底面当接片５１ｂのそれぞれと連結する端支え片４１ｂと、中央底面当接片５１ａと連結する中央支え片４１ａとからなり、このうち端支え片４１ｂは、支え背面片６４と略平行に形成されているのに対し、中央支え片４１ａは、支え背面片６４に向かって傾斜して形成されている。そして、中央支え片４１ａの先端に配置された中央支え先端片６５ａは、端支え片４１ｂの先端に配置された端支え先端片６５ｂよりも傾斜が急になるように形成されている。
【００５９】
図１１は、開口部５５の上側の外壁材３の取り付けに用いられる受け金具４３の他の一例を示している。この受け金具４３は概略上記のものと同じであるが、底面当接片５１、支え片４１及び支え先端片６５がそれぞれ二つで形成されている点で図１０のものとは異なっている。以下、図１０の受け金具４３を用いて説明するが、図１１の場合も同様である。
【００６０】
そして、開口部５５の上側に外壁材３を取り付けるにあたっては、開口部５５の下側の場合と同様、図１２及び図１３に示すように、まず必要に応じて外壁材３の下部の余分な箇所を切り落とし、外壁材３を所望の形状に形成する。次に外壁材３の下部を切断して現れた切断面に溝６（下溝６ｂ）を形成する。
【００６１】
そして、図１４（ａ）（ｂ）に示すように、釘、ねじ等の固定具３８を用いて受け金具４３の固定片４２を壁下地２に固定する。その後、図１４（ｃ）（ｄ）に示すように、背面当接片５０の表面に接着剤５６を塗布した後、外壁材３の切断面に形成した溝６に受け金具４３の支え片４１を引っ掛けることによって（図示の矢印）、この外壁材３と受け金具４３とを係合する。そして最後に図１４（ｅ）（ｆ）に示すようにシーリング３５及びバックアップ材３６を用いて外壁材３と開口枠３７との間の隙間を充填する。このようにして、開口枠３７の上側に残った領域を完全に覆い隠すことができるものである。
【００６２】
上記したような方法により、開口部５５の上側及び下側に外壁材３を取り付けることにより図１５又は図１６のような外壁材取付構造を形成することができる。図１５は、バックアップ材３６として断面略矩形状のものを用いた例を示し、図１６は、バックアップ材３６として断面略円形状のものを用いた例を示している。バックアップ材３６としては、弾性体で形成されたようなものを適宜用いることができる。なお、図１６では、壁下地２が横胴縁となっている。
【００６３】
なお、図１７及び図１８は、開口部５５の横側の外壁材取付構造の一例をそれぞれ示している。各図では上側に配設される外壁材３を省略している。開口部５５の横側については、上記の支持金具２７と略同様の構成の支持金具２７を用い、図４と略同様の方法にて、外壁材３を上下に取り付けることができる。開口枠３７と外壁材３との間は、ハット型ジョイナー６７とシーリング３５で充填される。図１７は、通常の幅の壁下地２（縦胴縁）を用いた例、図１８は幅広の壁下地２（縦胴縁）を用いた例を示している。
【００６４】
上記のように本発明によれば、釘、ねじ等の固定具３８を直接外壁材３に打ち込んだりねじ込んだりすることなく外壁材３を壁下地２に取り付けることができると共に、複数の外壁材３を隣接させて壁下地２に取り付けていく場合に、通常の外壁材３の大きさよりも小さな領域が開口部５５の上側・下側に残ってしまったとしても、所望の大きさに切断した外壁材３を壁下地２に取り付けることによって前記領域を覆い隠して無くすことができるものである。
【００６５】
本発明の外壁材取付金具１は、上下を逆にして開口部５５の上側の取り付けにも用いることができる。
【００６６】
図２０は、外壁材取付金具１が開口部５５の下側の取り付けに用いられると共に開口部５５の上側の取り付けに用いられて形成された外壁材取付構造の一例である。開口部５５の下側の取り付けについては、図５〜９で示す上記の例と同様にして行うことができる。以下、開口部５５の上側の外壁材３の取り付けについて説明する。
【００６７】
開口部５５の上側に外壁材３を取り付けるにあたっては、上記の例と同様、図１２及び図１３に示すように、まず必要に応じて外壁材３の下部の余分な箇所を切り落とし、外壁材３を所望の形状に形成する。次に外壁材３の下部を切断して現れた切断面に溝６（下溝６ｂ）を形成する。
【００６８】
外壁材３を取り付けるにあたっては、図１９（ａ）（ｂ）に示すように、係合金具４の差込部８の両端部１６を固定金具５のガイド部９に下方から差し込んで係合金具４と固定金具５とを係合する。そして釘、ねじ等の固定具３８を用いて固定金具５を壁下地２に固定する。あるいは、先に固定金具５を壁下地２に固定した後、この固定金具５と係合金具４とを係合するようにしてもよい。このとき、千鳥状に配置された係止部１１によって、係合金具４の差し込み位置を微調整することができるので、簡単に強固に係合金具４を外壁材３に係合させることができ、外壁材３の取り付けの作業性が向上するものである。
【００６９】
次に図１９（ｃ）（ｄ）に示すように、ガイド部９のガイド片２１の屋外側の面に接着剤５６を塗布し、外壁材３の切断面に形成した溝６に係合金具４の引掛部７を引っ掛けることによって、この外壁材３と係合金具４とを係合する。ここで、係合金具４は固定金具５に対して差し込み方向にのみ可動可能となっており、差し込み方向と反対の方向には動かないので、係合金具４が外壁材３の重みで滑動するなどして係合が外れることがなく、確実に外壁材３を支持できるものである。
【００７０】
そして最後に図１９（ｅ）（ｆ）に示すようにシーリング３５及びバックアップ材３６を用いて外壁材３と開口枠３７との間の隙間を充填する。このようにして、開口枠３７の上側に残った領域を完全に覆い隠すことができるものである。
【００７１】
上記したような方法により、開口部５５の上側及び下側に外壁材３を取り付けることにより図２０のような外壁材取付構造を形成することができる。
【００７２】
また、本発明の外壁材取付金具１は、軒天井３４の下側の取り付けにも用いることができる。
【００７３】
図２２は、外壁材取付金具１が軒天井３４の下側の取り付けに用いられて形成された外壁材取付構造の一例である。この外壁材取付構造も、上記の例と同様にして外壁材取付金具１を用いて外壁材３を取り付けて形成することができる。以下、軒天井３４の下側の取り付けについて説明する。
【００７４】
建築物に複数の外壁材３を下から順に取り付けていくと、図４の場合と略同様に、軒天井３４の下側において通常の外壁材３の大きさよりも小さな領域が残ってしまう場合がある。この場合も、軒天井３４の下側に残った領域は通常の外壁材３のままでは覆い隠すことができない。そこで、このような場合には、図１の外壁材取付金具１を用いて外壁材３を取り付ける。
【００７５】
外壁材３を取り付けるにあたっては、図６の例と同様に、まず外壁材３を加工する。すなわち、まず、外壁材３の上部の余分な箇所を切り落とし、次に、図６（ａ）（ｂ）に示すように外壁材３の上部を切断して現れた切断面に溝６（上溝６ａ）を形成する。
【００７６】
そして、上記のように加工された外壁材３を取り付けるにあたっては、図２１（ａ）（ｂ）に示すように、まず係合金具４の差込部８の両端部１６を固定金具５のガイド部９に上方から差し込んで係合金具４と固定金具５とを係合し、さらに釘、ねじ等の固定具３８を用いて固定金具５を壁下地２に固定する。ただし、この段階では係合金具４の差込部８は固定金具５に完全には差し込まないようにしておく。なお、図２１（ｂ）（ｄ）（ｆ）では、取り付けの様子が確認できるように、軒天井３４を省略すると共に外壁材３を切断して示している。
【００７７】
次に図２１（ｃ）（ｄ）に示すように、ガイド部９のガイド片２１の屋外側の面に接着剤５６を塗布し、外壁材３を持ち上げつつ外壁材３の切断面に形成した溝６に係合金具４の引掛部７を引っ掛けた後、外壁材３と係合金具４とを順に押し下げる。このとき、引掛部７を溝６にしっかりと差し込んで外壁材３を固定すると共に、係合金具４の差込部８を固定金具５に上方から完全に差し込んで係合金具４と固定金具５とを係合させる（図の矢印）。なお、外壁材３の下部は、図４に示すように、通常の外壁材３の取り付けと同様に、外壁材３の被支持部３１を支持金具２７の支持片２９で支持する構造になっている。
【００７８】
そして最後に、図２１（ｅ）（ｆ）に示すようにバックアップ材３６とシーリング３５を用いて外壁材３と開口枠３７との間の隙間を充填すると、外壁材取付構造が形成され、軒天井３４の下側に残った領域を完全に覆い隠すことができるものである。
【００７９】
上記したような方法により、軒天井３４の下側に外壁材３を取り付けることにより図２２のような外壁材取付構造を形成することができる。
【００８０】
このように本発明の外壁材取付金具１によれば、簡単に強固に外壁材３を壁下地２に取り付けることができるものである。
【符号の説明】
【００８１】
１    外壁材取付金具
２    壁下地
３    外壁材
４    係合金具
５    固定金具
６    溝
７    引掛部
８    差込部
９    ガイド部
１０  係止片
１１  係止部
１６  差込部の端部
１７  固定板
１８  固定板の端部
２２  揺動防止片
４１  支え片
４２  固定片
４３  受け金具
５５  開口部
【図１】
2010222791.tif 000003
【図２】
2010222791.tif 000004
【図３】
2010222791.tif 000005
【図４】
2010222791.tif 000006
【図５】
2010222791.tif 000007
【図６】
2010222791.tif 000008
【図７】
2010222791.tif 000009
【図８】
2010222791.tif 000010
【図９】
2010222791.tif 000011
【図１０】
2010222791.tif 000012
【図１１】
2010222791.tif 000013
【図１２】
2010222791.tif 000014
【図１３】
2010222791.tif 000015
【図１４】
2010222791.tif 000016
【図１５】
2010222791.tif 000017
【図１６】
2010222791.tif 000018
【図１７】
2010222791.tif 000019
【図１８】
2010222791.tif 000020
【図１９】
2010222791.tif 000021
【図２０】
2010222791.tif 000022
【図２１】
2010222791.tif 000023
【図２２】
2010222791.tif 000024
【図２３】
2010222791.tif 000025
【図２４】
2010222791.tif 000026
【図２５】
2010222791.tif 000027
【図２６】
2010222791.tif 000028